(57)【要約】      （修正有）【課題】ドア，窓など，開閉構造の開閉部における侵入警報やトイレ使用中表示，在室表示などの監視，警報，表示を実現するために不可欠である，「開閉部の開閉」とともに「人の動き」の情報を誤検知なく取得するとともに，取得した情報を基に必要な通知，表示を行う，小型，軽量，低価格な開閉検知センサーを実現する。【解決手段】近接スイッチ２，焦電型赤外線センサー３，検知範囲制限構造，ならびに処理回路６を一体または一部を分離して構成し，ドア，窓などの開閉構造に装着して，開閉部の開閉状態を近接スイッチで検出するとともに，開閉部が開かれた状態では，焦電型赤外線センサーにより，人の動きを検知判断するとともに，閉じられた状態では検知判断を行わないことにより誤検知を防止して，侵入警報やトイレ使用中表示，在室表示などの監視，警報，表示を実現する。【選択図】図１
0003138045.tif 000002
【実用新案登録請求の範囲】
【請求項１】
近接スイッチ，焦電型赤外線センサー，検知範囲制限構造，ならびに処理回路を一体で構成し，ドア，窓など開閉構造の開閉部，開閉部取り付け枠，近傍の壁などに装着し，開閉部の開閉状態を近接スイッチで検出するとともに，開閉部が開かれた状態では，焦電型赤外線センサーにより人の動きを検知判断し，閉じられた状態では検知判断を行わないことより，開閉構造の開閉部における人の通過，移動，動きなどを誤検知無く判断して，侵入警報やトイレ使用中表示，在室表示などの監視，警報，表示を実現する，小型，軽量，低価格な開閉検知センサー。
【請求項２】
近接スイッチ，焦電型赤外線センサー，検知範囲制限構造，ならびに処理回路の一部を分離して構成する，請求項１に記載する開閉検知センサー。
【考案の詳細な説明】
【技術分野】
【０００１】近接スイッチ，焦電型赤外線センサー，検知範囲制限構造，ならびに処理回路で構成し，ドア，窓などの開閉構造の開閉部，開閉部取り付け枠，近傍の壁などに装着し，開閉部の開閉状態を近接スイッチで検出するとともに，開閉部が開かれた状態では，焦電型赤外線センサーにより，人の動きを検知判断するとともに，閉じられた状態では検知判断を行わないことにより誤検知を防止し，必要な通知，表示を行う，小型，軽量，低価格な開閉検知センサー。
【背景技術】
【０００２】ドア，窓などの開閉部において，人の動きを検知して警報を発したり表示する機能は，侵入警報やトイレ使用中表示，在室表示などの面から強く求められ，焦電型赤外線センサーなどを使用した各種機器が提案されている。しかし，焦電型赤外線センサーは検知能力が高く，検知範囲が広いため，近傍の人や動物，植物の動きを検知するなど，真に検知すべき人の動きを検知しているとは限らず，誤動作が多い欠点を有している。焦電型赤外線センサーの検知範囲を制限するマスクなども提案されているが，誤検知を確実に防ぐことは出来ない。また，開閉部の開閉状態を検出スイッチで検出して警報を発する機器も実用化されているが，開閉部の開閉情報のみでは，実際に人が接近したか，通過したかなどは判断できない。要するに，開閉部における監視，警報，表示においては，「開閉部の開閉」とともに「人の動き」による情報が必要である。
【考案が解決しようとする課題】
【０００３】ドア，窓などの開閉部における侵入警報やトイレ使用中表示，在室表示などの監視，警報，表示を実現するために不可欠である，「開閉部の開閉」とともに「人の動き」の情報を誤検知なく取得するとともに，取得した情報を基に必要な通知，表示を行う，小型，軽量，低価格な開閉検知センサーを実現する。
【課題を解決するための手段】
【０００４】近接スイッチ，焦電型赤外線センサー，検知範囲制限構造，ならびに処理回路を一体または一部を分離して構成し，ドア，窓など開閉構造の開閉部，開閉部の取り付け枠，近傍の壁などに装着し，開閉部の開閉状態を近接スイッチで検出するとともに，開閉部が開かれた状態では，焦電型赤外線センサーにより，人の動きを検知判断するとともに，閉じられた状態では検知判断を行わないことにより誤検知を防止して，侵入警報やトイレ使用中表示，在室表示などの監視，警報，表示を実現する小型，軽量，低価格な開閉検知センサー。
【考案の効果】
【０００５】近接スイッチにより開閉部の開閉状態を非接触で検出するとともに，開閉部が閉じた状態では，焦電型赤外線センサーによる近傍の人や動物，植物の動きなどを検知判断しないことにより誤検知を防ぎ，開閉部が開かれた状態で，人の動きを検知判断することにより，「ドアが開かれた」，「人が通過した」，「人が居る」，「人が居ない」，ならびに「ドアが閉じられた」などの情報が把握され，侵入警報やトイレ使用中表示，在室表示などを，人の動きの検知能力に優れた焦電型赤外線センサーを使用して誤動作無く，必要な通知，表示を行う小型，軽量，低価格に実現することが出来る。
【考案を実施するための最良の形態】
【０００６】図１は人検知センサー１の概観斜視図であり，近接スイッチ２，焦電型赤外線センサー３，フード４，開口５，処理回路６，表示器７，電池８などで一体に構成される。近接スイッチとしては，リードスイッチなどの非接触スイッチを組み込み，磁石などのスイッチ検出体を開閉部に装着してドアなどの開閉を検出する。本考案の人検知センサー１は，フード４，ならびに開口５で構成される検知範囲制限構造による，フードの長さ，径，開口径などを所定に設定することにより焦電型赤外線センサーの検知範囲を規制して，周辺環境による誤動作を防ぐ。【０００７】処理回路６は図２に回路構成を示すごとく，近接スイッチ２と磁石からなるスイッチ検出体９により，ドアなどの開閉状態を開閉信号として検出する。焦電型赤外線センサー３による人の動きを所要増幅してレベル判定し，開閉信号とともに，処理回路６で人の動きの強弱，継続時間などから，開閉部の開閉状態と人の動きを判断して，表示ランプ，アラームブザーなどの表示器７を駆動する。ドアなどの開閉部が閉じられた状態では，焦電型赤外線センサーによる検知判断をしないため，近傍の人や動物，植物の動きを検知するなどの誤検知が防止される。【０００８】片開き洋風ドア１０に人検知センサー１とスイッチ検出体９を装着した概念図を図３に示す。ドアが閉められた状態では，焦電型赤外線センサーによる検知判断は行わないため，近傍の人や動物，植物の動きを検知するなどの誤検出が防止される。ドアが開かれると焦電型赤外線センサーによる検知判断が行われて，人の動きが検知判断され，表示ランプ，アラームブザーなどが駆動される。
【実施例】
【０００９】開閉検知センサーは，筺体・構造を樹脂材で形成し，縦×横×高を６×６×４ｃｍとしフードの長さを２ｃｍ，内径を１ｃｍとし，焦電型赤外線センサーの検知信号の増幅回路の増幅率を約４００倍，通過などの人の動きを判断する検知信号の継続時間は１秒に設定した。検知結果の表示はＬＥＤランプ，ならびにブザーとし，任意に選択できる構成とした。また，請求項３，請求項４に示すように，近接スイッチ，焦電型赤外線センサー，検知範囲制限構造，ならびに処理回路を一体で構成せず，近接スイッチ，焦電型赤外線センサー，検知範囲制限構造などの検知，検出部と処理回路，電池，表示器などを分離構成して，相互にケーブルなどにより接続することにより，検知，検出部が小型化され，取り付けの自由度を大幅に改善する構成も可能である。【００１０】本考案の開閉検知センサーは，フード，開口部などの検知範囲制限構造，ならびにドアが閉じられている間は，焦電型赤外線センサーによる検知判断を行わないなどにより徹底的に誤検知がガードされており，多くの用途への適用が可能となっている。例えば，図３に示すように開閉検知センサーをトイレのドアに取り付け，かつ焦電型赤外線センサーの検知方向をドアの内側に向けて配置することにより，ドアを開いて人が中に入って，ドアを閉める直前に人の動きが検知されていれば，中に人が居ることを示すため使用中表示ランプの点灯を行い，所用を済ませて，再びドアを開いて外に出て，ドアを閉める直前に人の動きが検知されていなければ，中に人が居ないことを示すため，ドアを閉めることにより使用中表示ランプを消灯する制御を処理回路で行うことにより，本考案の人検知センサーを「トイレ使用中表示」や「在室表示」に適用できる。【００１１】また，開閉検知センサーを玄関のドアや窓に取り付け，かつ焦電型赤外線センサーの検知方向をドアや窓と平行に向けて配置することにより，ドアや窓が開かれて人の接近や通過が検知された場合に，アラームブザーを所定時間，またはリセットするまで鳴動させる制御を処理回路で行うことにより，本考案の開閉検知センサーを「侵入警報」に適用できる。【００１２】開閉検知センサーをドアなどの開閉構造の内面と外面に装着して，人の通過を，いずれのセンサーが先に検知するかを識別することにより，人が内から外へ通過したか，外から内に通過したかを識別できるため，本考案の開閉検知センサーを侵入警報やトイレ使用中表示，在室表示などで，より「高度な監視システム構築」に適用できる。【００１３】なお，近接スイッチは，リードスイッチに限定されず，静電容量形，超音波形，光電形，磁気形など多様であり，本考案の開閉検知センサーを開閉構造に取り付ける簡便さを考えると，非接触タイプの近接スイッチを使用することが適している。また，開閉検知センサーの材質，寸法，増幅回路の増幅率，検知継続時間，通知表示の内容などは，実施例に限定されるものではなく，本発明の趣旨を逸脱しない範囲で種々変形実施が可能である。
【図面の簡単な説明】
【００１４】
【図１】  開閉検知センサーの概観斜視図を示す。
【図２】  処理回路構成図を示す。
【図３】  開閉検知センサーを片開き洋風ドアに装着した概念図を示す。
【符号の説明】
１    開閉検知センサー
２    近接スイッチ
３    焦電型赤外線センサー
４    フード
５    開口部
６    処理回路
７    表示器
８    電池
９    スイッチ検出体
１０    片開き洋風ドア（開閉部）
【図１】
0003138045.tif 000003
【図２】
0003138045.tif 000004
【図３】
0003138045.tif 000005
【手続補正書】
【提出日】平成19年9月28日(2007.9.28)
【手続補正１】
【補正対象書類名】明細書
【補正対象項目名】０００９
【補正方法】変更
【補正の内容】
【０００９】開閉検知センサーは，筐体・構造を樹脂材で形成し，縦×横×高を６×６×４ｃｍとしフードの長さを２ｃｍ，内径を１ｃｍとし，検知結果の表示はＬＥＤランプ，ならびにブザーとし，任意に選択できる構成とした。近接スイッチ，焦電型赤外線センサー，検知範囲制限構造，ならびに処理回路などの一部を分離して構成して，相互にケーブルなどにより接続することにより，検知，検出部が小型化され，取り付けの自由度を大幅に改善する構成も可能である。
【手続補正２】
【補正対象書類名】明細書
【補正対象項目名】００１０
【補正方法】変更
【補正の内容】
【００１０】本考案の開閉検知センサーは，フード，開口部などの検知範囲制限構造，ならびにドアなどが閉じられている間は焦電型赤外線センサーによる検知判断を行わないなどにより，徹底的に誤検知がガードされており，多くの用途への適用が可能となっている。図３に示す，外方向への片開きドアの場合，開閉検知センサーをトイレなどのドアの外に取り付け，かつ焦電型赤外線センサーの検知方向をドアに向けて配置して，ドアを開いて人が中に入って，ドアを閉める直前に人の動きが検知されていれば，中に人が居ると判断して使用中表示ランプの点灯を行い，所用を済ませて，再びドアを開いて外に出て，ドアを閉める直前に人の動きが検知されていなければ，中に人が居ないと判断して，ドア閉めにより使用中表示ランプを消灯することにより，本考案の人検知センサーを，「トイレ使用中表示」や「在室表示」に適用できる。
【手続補正３】
【補正対象書類名】明細書
【補正対象項目名】００１１
【補正方法】変更
【補正の内容】
【００１１】一般的に在室表示は，ドアの開閉構造を出入りした人の数を計数して室内に残っている人の数で判断するが，何人かが同時に開閉構造を通過した場合などに判断不能になる。通過した人数を計数しない場合は，トイレなどの中の人の存在を直接検知する必要があり，焦電センサーをトイレなどの内部に設置するのが一般的であるが，開閉検知センサーの警報，表示などは外から確認する必要が有り，トイレなどの外に配置しなければならない。このため，焦電型赤外線センサーを分離してトイレなどの内部に配置して，検知状態を無線や配線などで外の開閉検知センサー本体に伝える構成が必要となり極めて複雑になる。従って，焦電型赤外線センサーをトイレなどの外に，検知方向をドアに向けて設置し，ドアが開かれた状態での人の検知情報から在室判断を行う方法が望ましい。ただし，在室判断は，ドアが開かれている状態で人が検知されていても，ドアを閉めるまでの間に外に出てしまう可能性も有るなど，ドア開き中における種々の人検知情報の中で，ドアが閉められる直前の検知情報を優先して判断する必要がある。このため，ドアの開閉を検知する近接スイッチ，ならびにスイッチ検出体は，ドア開きを検知した直後から，ドア閉じを検知する直前まで，焦電型赤外線センサーがドアの内部を確実に検知できるように，ドアの開閉部に所要の開口を確保できる，動作距離，ならびに配置を備えることが必要である。なお，ドア閉めのタイミングでは，人は必ずドアノブの近傍に居るため，人検知が確実に行われる。
【手続補正４】
【補正対象書類名】明細書
【補正対象項目名】００１２
【補正方法】変更
【補正の内容】
【００１２】また，開閉検知センサーを玄関のドアや窓に取り付け，かつ焦電型赤外線センサーの検知方向をドアや窓と平行に向けて配置することにより，ドアや窓が開かれて人の接近や通過が検知された場合に，アラームブザーを所定時間，またはリセットするまで鳴動させる制御を処理回路で行うことにより，本考案の開閉検知センサーを「侵入警報」に適用できる。さらに，開閉検知センサーをドアなどの開閉構造の内面と外面に装着して，人の通過を，いずれのセンサーが先に検知するかを識別することにより，人が内から外へ通過したか，外から内に通過したかを識別できるため，本考案の開閉検知センサーを侵入警報やトイレ使用中表示，在室表示などで，より「高度な監視システム構築」に適用できる。
【手続補正５】
【補正対象書類名】明細書
【補正対象項目名】００１３
【補正方法】変更
【補正の内容】
【００１３】なお，検知範囲制限構造として，焦電型赤外線センサーにフレネルレンズを装着して，検出範囲を複数設けることも有効である。近接スイッチは，リードスイッチに限定されず，静電容量形，超音波形，光電形，磁気形など多様であり，本考案の開閉検知センサーを開閉構造に取り付ける簡便さを考えると，非接触タイプの近接スイッチを使用することが適している。なお，本考案は実施例に限定されるものではなく，趣旨を逸脱しない範囲であれば種々変形実施が可能である。